(57)【要約】【課題】  作業量を少なくし、少ないＩＰアドレスで多くのスイッチングハブを監視できるネットワーク接続装置、スイッチングハブ、ネットワーク監視システム及びネットワーク監視装置を提供する。【解決手段】  ネットワーク内のスイッチングハブ１２０からのＩＰアドレス割当て要求を受信し、当該スイッチングハブ１２０に割当てるＩＰアドレスを決定する割当ＩＰアドレス決定機能と、その割当ＩＰアドレス及び自身のＩＰアドレスを当該スイッチングハブ１２０に通知するＩＰアドレス通知機能とをネットワーク接続装置であるスイッチングハブ１１０に備えた。【選択図】  図１
2005303899.tif 000002
【特許請求の範囲】
【請求項１】
複数のネットワーク間を接続するネットワーク接続装置であって、前記ネットワーク内のスイッチングハブからのＩＰアドレス割当て要求を受信し、当該スイッチングハブに割当てるＩＰアドレスを決定する割当ＩＰアドレス決定機能と、その割当ＩＰアドレス及び自身のＩＰアドレスを当該スイッチングハブに通知するＩＰアドレス通知機能とを備えたことを特徴とするネットワーク接続装置。
【請求項２】
前記割当ＩＰアドレス決定機能は、当該スイッチングハブが含まれているネットワーク以外のネットワークに存在するＩＰアドレスと重複しないＩＰアドレスを割当てることを特徴とする請求項１記載のネットワーク接続装置。
【請求項３】
前記スイッチングハブからのネットワーク状態情報を受信し、そのネットワーク状態情報を当該スイッチングハブのネットワークを監視するネットワーク監視装置に転送する転送機能を備えたことを特徴とする請求項１又は２記載のネットワーク接続装置。
【請求項４】
ネットワークに設けられるスイッチングハブであって、前記ネットワーク接続装置にＩＰアドレス割当てを要求するＩＰアドレス割当要求機能と、前記ネットワーク接続装置から通知された割当ＩＰアドレスを自身のＩＰアドレスに設定する自身ＩＰアドレス設定機能と、前記ネットワーク接続装置から通知された前記ネットワーク接続装置のＩＰアドレスを自身のネットワークを監視するネットワーク監視装置のＩＰアドレスとして設定する接続装置ＩＰアドレス設定機能とを備えたことを特徴とするスイッチングハブ。
【請求項５】
相互に接続された複数のネットワークのいずれかのネットワークに前記ネットワーク接続装置、前記スイッチングハブ及び前記ネットワーク監視装置を有し、前記ネットワーク接続装置から前記スイッチングハブにＩＰアドレスが割当てられ、前記スイッチングハブから前記ネットワーク接続装置に送信されたネットワーク状態情報が前記ネットワーク監視装置に転送されることを特徴とするネットワーク監視システム。
【請求項６】
複数のネットワークを監視するネットワーク監視装置であって、前記ネットワーク内のスイッチングハブからのＩＰアドレス割当て要求を受信し、当該スイッチングハブに割当てるＩＰアドレスを決定する割当ＩＰアドレス決定機能と、その割当ＩＰアドレス及び自身のＩＰアドレスを当該スイッチングハブに通知するＩＰアドレス通知機能とを備えたことを特徴とするネットワーク監視装置。
【発明の詳細な説明】
【技術分野】
【０００１】
本発明は、小規模のネットワーク（ＬＡＮ）を複数相互接続したネットワークをいずれかのネットワークに存在するネットワーク監視装置で集中的に監視するネットワーク監視システムと、これらのネットワークで用いられるネットワーク接続装置やスイッチングハブ、ネットワーク監視装置に関する。
【背景技術】
【０００２】
複数のネットワークにおける状態変化を１つのネットワーク監視装置で集中的に監視するためには、各ネットワークからネットワーク監視装置へネットワーク状態情報を知らせる手段が必要である。この状態変化の通知をスイッチングハブに行わせるためには、スイッチングハブにネットワーク監視装置との通信機能がなくてはならない。
【０００３】
このような高機能なスイッチングハブには、ネットワーク監視装置との通信機能を持たせるために、スイッチングハブにＩＰアドレスを与える必要がある。スイッチングハブにＩＰアドレスが無ければ、ネットワーク監視装置となっている端末からスイッチングハブにネットワークを介してアクセスすることができない。
【０００４】
従来では、端末からスイッチングハブにネットワークを介してアクセスできないため、スイッチングハブに端末を直接つないで、スイッチングハブにＩＰアドレスを与えるほかない。複数存在するスイッチングハブのそれぞれに対して端末を直接つなぐ作業は効率がよくない。
【０００５】
スイッチングハブへのＩＰアドレスの配布を効率化するために、特許文献１では、ＩＰアドレスを配布するＩＰアドレス管理サーバからスイッチングハブが自動的にＩＰアドレスを受け取り、そのＩＰアドレスをスイッチングハブが自身のＩＰアドレスに設定するようにしている。
【０００６】
【特許文献１】特開平９−３３０２８４号公報
【発明の開示】
【発明が解決しようとする課題】
【０００７】
しかし、特許文献１の技術では、割り当てるべきスイッチングハブのＩＰアドレスだけが配布されるので、ネットワーク監視装置にはスイッチングハブに対するアクセス手段が提供されるが、ネットワーク監視装置のＩＰアドレスはスイッチングハブに提供されない。よって、ネットワーク監視装置からスイッチングハブの監視（そのスイッチングがあるネットワークの監視）を行うためには、ネットワーク監視装置のＩＰアドレスをスイッチングハブに設定しなければならない。監視するスイッチングハブの数が増えれば、ネットワーク監視装置のＩＰアドレスをスイッチングハブに設定する作業は莫大な量となる。また、スイッチングハブに割り当てるべきＩＰアドレスの数もスイッチングハブの数だけ必要となる。
【０００８】
そこで、本発明の目的は、上記課題を解決し、作業量を少なくし、少ないＩＰアドレスで多くのスイッチングハブを監視できるネットワーク接続装置、スイッチングハブ、ネットワーク監視システム及びネットワーク監視装置を提供することにある。
【課題を解決するための手段】
【０００９】
上記目的を達成するために本発明のネットワーク接続装置は、複数のネットワーク間を接続するネットワーク接続装置であって、前記ネットワーク内のスイッチングハブからのＩＰアドレス割当て要求を受信し、当該スイッチングハブに割当てるＩＰアドレスを決定する割当ＩＰアドレス決定機能と、その割当ＩＰアドレス及び自身のＩＰアドレスを当該スイッチングハブに通知するＩＰアドレス通知機能とを備えたものである。
【００１０】
前記割当ＩＰアドレス決定機能は、当該スイッチングハブが含まれているネットワーク以外のネットワークに存在するＩＰアドレスと重複しないＩＰアドレスを割当ててもよい。
【００１１】
前記スイッチングハブからのネットワーク状態情報を受信し、そのネットワーク状態情報を当該スイッチングハブのネットワークを監視するネットワーク監視装置に転送する転送機能を備えてもよい。
【００１２】
また、本発明のスイッチングハブは、ネットワークに設けられるスイッチングハブであって、前記ネットワーク接続装置にＩＰアドレス割当てを要求するＩＰアドレス割当要求機能と、前記ネットワーク接続装置から通知された割当ＩＰアドレスを自身のＩＰアドレスに設定する自身ＩＰアドレス設定機能と、前記ネットワーク接続装置から通知された前記ネットワーク接続装置のＩＰアドレスを自身のネットワークを監視するネットワーク監視装置のＩＰアドレスとして設定する接続装置ＩＰアドレス設定機能とを備えたものである。
【００１３】
また、本発明のネットワーク監視システムは、相互に接続された複数のネットワークのいずれかのネットワークに前記ネットワーク接続装置、前記スイッチングハブ及び前記ネットワーク監視装置を有し、前記ネットワーク接続装置から前記スイッチングハブにＩＰアドレスが割当てられ、前記スイッチングハブから前記ネットワーク接続装置に送信されたネットワーク状態情報が前記ネットワーク監視装置に転送されるものである。
【００１４】
また、本発明のネットワーク監視装置は、複数のネットワークを監視するネットワーク監視装置であって、前記ネットワーク内のスイッチングハブからのＩＰアドレス割当て要求を受信し、当該スイッチングハブに割当てるＩＰアドレスを決定する割当ＩＰアドレス決定機能と、その割当ＩＰアドレス及び自身のＩＰアドレスを当該スイッチングハブに通知するＩＰアドレス通知機能とを備えたものである。
【発明の効果】
【００１５】
本発明は次の如き優れた効果を発揮する。
【００１６】
（１）ＩＰアドレスの手動設定作業がなくなる。
【００１７】
（２）ＩＰアドレス資源を節約できる。
【発明を実施するための最良の形態】
【００１８】
以下、本発明の一実施形態を添付図面に基づいて詳述する。
【００１９】
図１に示した簡単なネットワークは、本発明に係るネットワーク監視システムである。このネットワーク監視システムでは、本発明に係るネットワーク接続装置としてのスイッチングハブ１１０に、本発明に係るスイッチングハブとしてのスイッチングハブ１２０と本発明に係るネットワーク監視装置としての端末１４０とが接続されている。
【００２０】
スイッチングハブ１１０には、スイッチングハブ１２０からのＩＰアドレス割当て要求に応答し、スイッチングハブ１２０に割り当てるべきＩＰアドレスとネットワーク接続装置である自身のＩＰアドレスを通知する機能を備える。即ち、スイッチングハブ１１０は、割当ＩＰアドレス決定機能とＩＰアドレス通知機能とを備える。
【００２１】
スイッチングハブ１２０には、ネットワーク接続装置であるスイッチングハブ１１０に対しＩＰアドレス割当て要求を出し、その応答を受信した後、割り当てられたＩＰアドレスを自身のＩＰアドレスとしてスイッチングハブ１２０に設定し、かつ、通知されたネットワーク接続装置のＩＰアドレスをネットワークの状態変化に関する情報（ネットワーク状態情報）の通知先であるネットワーク監視装置（サーバもこれに含まれる）のＩＰアドレスとしてスイッチングハブ１２０に設定する機能を備える。即ち、スイッチングハブ１２０は、ＩＰアドレス割当要求機能と自身ＩＰアドレス設定機能と接続装置ＩＰアドレス設定機能とを備える。
【００２２】
さらに、スイッチングハブ１２０に割り当てるＩＰアドレスは、スイッチングハブ１２０のネットワーク以外のネットワーク（図示せず）と重複しないＩＰアドレス或いはＲＦＣ１５９７で規定されているプライベートＩＰアドレスとする。一方、ネットワーク接続装置のＩＰアドレスは、スイッチングハブ１２０のネットワーク以外のネットワーク（図示せず）と通信できるＩＰアドレスとする。
【００２３】
また、ネットワーク接続装置であるスイッチングハブ１１０には、スイッチングハブ１２０からのネットワーク情報を格納したＩＰパケットをネットワーク監視装置である端末１４０に転送する転送機能を備える。具体的には、スイッチングハブ１１０は、ネットワーク監視装置である端末１４０のＩＰアドレスを記憶しており、配布したプライベートＩＰアドレスを持つスイッチングハブ１２０から受信したＩＰパケットについて、宛先アドレスを端末１４０のＩＰアドレスに置換すると共に、送信元アドレスをネットワーク接続装置であるスイッチングハブ１１０のＩＰアドレスに置換し、このＩＰパケットを端末１４０に転送する。
【００２４】
図１のネットワーク監視システムによれば、ネットワーク監視装置でスイッチングハブを監視する際に、ネットワーク監視装置のＩＰアドレスを各スイッチングハブに設定する作業をスイッチングハブ毎に手作業で設定を行うことなく、自動的に行うことができる。また、多くのスイッチングハブに対しネットワーク監視装置は、あたかもＩＰアドレスを使用せずに各スイッチングハブを監視することができる。あたかもＩＰアドレスを使用せずというのは、ネットワーク監視装置から見ると、１台の代表スイッチングハブ１１０にＩＰアドレスが割り当てられており、他のスイッチングハブ１２０にはＩＰアドレスを割り当てる必要がないことをいう。それゆえ、ＩＰアドレス資源を節約することができる。
【実施例１】
【００２５】
図１を用いて本発明の具体的な実施例１を説明する。
【００２６】
スイッチングハブ１１０は、前述した割当ＩＰアドレス決定機能とＩＰアドレス通知機能と転送機能とを備えたネットワーク接続装置である。スイッチングハブ１１０には、ネットワーク監視装置のＩＰアドレスとして端末１４０のＩＰアドレスが設定（記憶）されている。そして、このスイッチングハブ１１０に接続されているスイッチングハブ１２０は、前述したＩＰアドレス割当要求機能と自身ＩＰアドレス設定機能と接続装置ＩＰアドレス設定機能とを備える。
【００２７】
スイッチングハブ１２０は、自身にＩＰアドレスが設定されていないとき、スイッチングハブ１１０に対してＩＰアドレス割当要求を出す。このＩＰアドレス割当要求はＭＡＣアドレスを用いたレイヤ２のパケットを用いる。
【００２８】
スイッチングハブ１１０は、要求を受け、同一ネットワーク内で重複しないＩＰアドレスを割当ＩＰアドレスとして選択する。図１の中では、スイッチングハブ１１０とスイッチングハブ１２０とで構成されるネットワークが同一ネットワークにあたる。この同一ネットワーク内で割当ＩＰアドレスが重複するかどうかはＭＡＣアドレスで判断する。つまり、異なるＭＡＣアドレスを持つ装置には異なる割当ＩＰアドレスを割り当てる。スイッチングハブ１１０は、割当ＩＰアドレスとスイッチングハブ１１０のＩＰアドレスとをスイッチングハブ１２０に通知する。
【００２９】
スイッチングハブ１２０は、その通知を受信後、通知された割当ＩＰアドレスを自身のＩＰアドレスに設定すると共に、通知されたスイッチングハブ１１０のＩＰアドレスをネットワーク状態情報の通知先、即ち、ネットワーク監視装置のＩＰアドレスとしてスイッチングハブ１２０内に設定する。
【００３０】
その後、スイッチングハブ１２０において、ネットワークに関する状態変化がおきたとき、その状態変化を伝えるためのネットワーク状態情報をＩＰパケットによりネットワーク監視装置に通知する。このとき、スイッチングハブ１２０は、ネットワーク監視装置のＩＰアドレスとしてスイッチングハブ１１０のＩＰアドレスを記憶しているので、ＩＰパケットの宛先はスイッチングハブ１１０となる。
【００３１】
このＩＰパケットを受信したスイッチングハブ１１０は、転送機能により、ＩＰパケットの宛先アドレスを端末１４０のＩＰアドレスに置換すると共に、ＩＰパケットのスイッチングハブ１２０のＩＰアドレスが埋め込まれた部分をスイッチングハブ１１０のＩＰアドレスに置換し、そのＩＰパケットを端末１４０に転送する。なお、送信元ＩＰアドレス以外にも当該ＩＰアドレスが埋め込まれた部分があったら、そこへも置換が及ぶ。なお、埋め込まれたとはパケット内に当該ＩＰアドレス（４バイト長）のデータの並びが存在する状態を言う。
【実施例２】
【００３２】
図２に示したネットワークでは、ネットワーク接続装置としてのスイッチングハブ２１０に、２つのＬＡＮ２２０，２３０とネットワーク監視装置としての端末２６０とが接続されている。ＬＡＮ２２０，２３０には、いずれも本発明に係るスイッチングハブ（図示せず）が１以上存在しているものとする。これらＬＡＮ２２０，２３０内の複数のスイッチングハブは、各々、スイッチングハブ２１０にＩＰアドレス割当て要求を行う。スイッチングハブ２１０は、これらの要求にそれぞれ応答する。すなわち、それぞれの装置に固有のＭＡＣアドレスを用いたレイヤ２パケットを使い、それぞれの装置と通信を行う。
【００３３】
応答を受けたＬＡＮ２２０，２３０内の各スイッチングハブは、通知された割当ＩＰアドレスを自身のＩＰアドレスとして記憶すると共に、スイッチングハブ２１０のＩＰアドレスをネットワーク監視装置のＩＰアドレスとして記憶する。
【００３４】
ＬＡＮ２２０，２３０においてネットワークに関する状態変化が起きると、当該ＬＡＮのスイッチングハブは、ネットワーク状態情報を格納したＩＰパケットにより、ネットワーク監視装置宛て、つまりスイッチングハブ２１０宛てに通知する。
【００３５】
スイッチングハブ２１０は、このＩＰパケットの宛先ＩＰアドレスを端末２６０のＩＰアドレスに置換し、送信元ＩＰアドレスが埋め込まれた部分をスイッチングハブ２１０のＩＰアドレスに置換し、そのＩＰパケットを端末２６０に転送する。
【００３６】
スイッチングハブ２１０が扱うＩＰアドレスの数は、割り当てるＩＰアドレスのサブネッとマスクに依存する。
【００３７】
この実施例２によれば、スイッチングハブ２１０に自身のＩＰアドレスと端末２６０のＩＰアドレスとを設定しておけば、ＬＡＮ２２０，２３０内の本発明のスイッチングハブには割当ＩＰアドレスとネットワーク監視装置のＩＰアドレス（実はスイッチングハブ２１０のＩＰアドレス）が自動的に配布され、各スイッチングハブからのネットワーク状態情報を通知するＩＰパケットが端末２６０に転送されるようになるので、端末２６０は、スイッチングハブ２１０及びＬＡＮ２２０，２３０内の本発明のスイッチングハブの全てを監視することができる。
【実施例３】
【００３８】
図３に示したネットワークでは、ネットワーク監視装置３１０が、割当ＩＰアドレス決定機能とＩＰアドレス通知機能とを備える。
【００３９】
このネットワーク監視装置３１０が接続されているＬＡＮ３２０には、本発明のスイッチングハブ（図示せず）が存在しているものとする。このスイッチングハブからのＩＰアドレス割当て要求に応答し、当該スイッチングハブへの割当ＩＰアドレスとネットワーク監視装置３１０のＩＰアドレスを通知する。応答の通知を受けたスイッチングハブは、割当ＩＰアドレスを自身のＩＰアドレスに設定し、ネットワーク監視装置３１０のＩＰアドレスをネットワーク監視装置のＩＰアドレスに設定する。この結果、ＬＡＮ３２０においてネットワークに関する状態変化が起きると、当該ＬＡＮのスイッチングハブは、ネットワーク状態情報を格納したＩＰパケットにより、ネットワーク監視装置３１０宛てに通知する。
【図面の簡単な説明】
【００４０】
【図１】本発明の一実施例を示すネットワーク構成図である。
【図２】本発明の一実施例を示すネットワーク構成図である。
【図３】本発明の一実施例を示すネットワーク構成図である。
【符号の説明】
【００４１】
１１０，２１０  スイッチングハブ（本発明のネットワーク接続装置）
１２０  スイッチングハブ（本発明のスイッチングハブ）
１４０，２６０  ネットワーク監視装置
３１０  ネットワーク監視装置
【図１】
2005303899.tif 000003
【図２】
2005303899.tif 000004
【図３】
2005303899.tif 000005